(57)【特許請求の範囲】
【請求項１】
圧縮機、四方切替弁、室外熱交換器、第１の冷媒減圧装置、第１の室内熱交換器、第２の冷媒減圧装置、第２の室内熱交換器を冷媒配管で順次接続した冷媒回路と、室外熱交換器の室外送風機と、室内熱交換器の室内送風機と、室外温度を検出する室外温度検出器と、室内吹出し温度を検出する室内吹出し温度検出手段と、制御手段と、を備えたヒートポンプ式空気調和機において、
前記室外送風機の室外ファンを回転させる電動機を誘導電動機とし、
前記制御手段は、目標吹出し温度を設定して、前記室内吹出し温度検出手段の検出結果に基づいて前記誘導電動機をＯＮ、ＯＦＦ制御して前記室外ファンを前記目標吹出し温度の上限値と下限値間でＯＮ、ＯＦＦの断続運転させることにより再熱除湿運転を行い、
前記目標吹出し温度を上げたい場合には、前記目標吹出し温度の上限値を第１の値だけ高くし、前記目標吹出し温度を下げたい場合には、前記目標吹出し温度の下限値を第２の値だけ低くすることを特徴とする空気調和機。
【請求項２】
前記制御手段に代えて、
目標吹出し温度を設定し、前記誘導電動機をＯＮ、ＯＦＦ制御して前記室外ファンを前記目標吹出し温度の上限値と下限値間でＯＮ、ＯＦＦの断続運転させることにより再熱除湿運転を行い、
前記室外温度検出器によって検出された外気温度が所定値より高い場合には、前記目標吹出し温度の下限値を所定値だけ下げ、前記室外温度検出器によって検出された外気温度が所定値より低い場合には、前記目標吹出し温度の上限値を所定値だけ上げる制御手段を備えたことを特徴とする請求項１記載の空気調和機。
【請求項３】
前記制御手段に代えて、
目標吹出し温度を設定し、前記誘導電動機をＯＮ、ＯＦＦ制御して前記室外ファンを前記目標吹出し温度の上限値と下限値間でＯＮ、ＯＦＦの断続運転させることにより再熱除湿運転を行い、
前記目標吹出し温度の上限値まで前記室外ファンをＯＦＦとする制御をしている場合、前記制御手段の電気部品が所定の温度以上に上昇したら、前記目標吹出し温度の上限値を所定の値だけ下げる制御手段を備えたことを特徴とする請求項１記載の空気調和機。
【請求項４】
前記制御手段に代えて、
目標吹出し温度を設定し、前記誘導電動機をＯＮ、ＯＦＦ制御して前記室外ファンを前記目標吹出し温度の上限値と下限値間でＯＮ、ＯＦＦの断続運転させることにより再熱除湿運転を行い、
前記室外ファンがＯＦＦの場合に、前記圧縮機の周波数を所定量上げる制御手段を備えたことを特徴とする請求項１記載の空気調和機。
【請求項５】
前記制御手段に代えて、
目標吹出し温度を設定し、前記誘導電動機をＯＮ、ＯＦＦ制御して前記室外ファンを前記目標吹出し温度の上限値と下限値間でＯＮ、ＯＦＦの断続運転させることにより再熱除湿運転を行い、
前記外気温度検出手段が検出した外気温度が所定値以上の場合、前記室外ファンがＯＦＦの時に、前記圧縮機の運転周波数を所定数下げる制御手段を備えたことを特徴とする請求項１記載の空気調和機。
【発明の詳細な説明】
【０００１】
【発明の属する技術分野】
本発明は、空気調和機に関わり、特に再熱除湿運転を行うな空気調和機に関する。
【０００２】
【従来の技術】
図９は、従来の再熱除湿運転を行う空気調和機の構成図である。この空気調和機は、圧縮機１、四方切替弁１８、室外熱交換器２、第１の冷媒減圧装置３、第１の室内熱交換器４、室内の絞り機構である第２の冷媒減圧装置５、第２の室内熱交換器６を主配管を介して順次接続した冷凍サイクルを備え、室内熱交換器を、第２の冷媒減圧装置５を挟んで第１の室内熱交換器４と第２の室内熱交換器６の２つの熱交換器に分けたものである。
【０００３】
通常冷房運転においては、第１の冷媒減圧装置３を絞り、第２の冷媒減圧装置５を全開にして、第１の室内熱交換器４と第２の室内熱交換器６を蒸発器にする。
また、冷え過ぎを防止しながら湿度を下げるための再熱除湿運転として、第１の冷媒減圧装置３を全開にして、第２の冷媒減圧装置５を絞って、第１の室内熱交換器４を凝縮器、第２の室内熱交換器６を蒸発器にして、同一能力における顕熱比を下げて、室温を下げないで除湿を行う再熱除湿運転があり、その制御方法は、圧縮機１の周波数を可変することにより湿度をコントロールし、室外送風機８のファン速度を可変することにより室温をコントロールする。
【０００４】
再熱除湿運転においては、図１０、図１１に示すように、室外送風機８のファン速度、または外気温度によってモリエル線図は大きく異なる。室外送風機８のファン速度が増加（図１０では、「外風量ｕｐ」と記載）した場合、または外気温度が低下（図１１では、「外気温低」と記載）した場合、室外熱交換器２の凝縮量は室外凝縮量Ａから、室外凝縮量Ｂへと増加し、室内凝縮量は低下する。即ち、同一圧縮機周波数においては、冷媒循環量はほぼ同一であり、第１の冷媒減圧装置３の絞り量はほぼ同一となり、第１の室内熱交換器４の凝縮量は、室内凝縮量Ａから室内凝縮量Ｂへと減少する。
また、第１の室内熱交換器４の凝縮温度も低下し、第２の室内熱交換器６の蒸発温度も低下する。
【０００５】
一方、再熱除湿運転において、図１２の空気線図を見ると、室内凝縮温度と、室内蒸発温度から室内吹出し温度は決定され、室外送風機８のファン速度、または外気温度によって室内凝縮温度、室内蒸発温度は低下したり、上昇したりする。
つまり、室温を下げたい場合には、室外送風機８のファン速度をあげ（図１２では、「ファン速高」と記載）、また室温を上げたい場合には室外送風機８のファン速度を低下（図１２では、「ファン速低」と記載）させる運転を行う。このように室外送風機８のファン速度によって室内温度をコントロールする。
【０００６】
【発明が解決しようとする課題】
しかしながら、室外送風機８のファン速度をコントロールする場合には、室外送風機８の電動機にコストのかかる直流電動機（ＤＣファンモータ）を使用する必要があるため、製造コストが高くなり、廉価機種に再熱除湿運転を展開しにくいという問題があった。
【０００７】
本発明は、製造コストを押えた再熱除湿運転を行う空気調和機を得ることを目的とする。
【０００８】
【課題を解決するための手段】
本発明の請求項１に係わる空気調和機は、圧縮機、四方切替弁、室外熱交換器、第１の冷媒減圧装置、第１の室内熱交換器、第２の冷媒減圧装置、第２の室内熱交換器を冷媒配管で順次接続した冷媒回路と、室外熱交換器の室外送風機と、室内熱交換器の室内送風機と、室外温度を検出する室外温度検出器と、室内吹出し温度を検出する室内吹出し温度検出手段と、制御手段と、を備えたヒートポンプ式空気調和機であって、室外送風機の室外ファンを回転させる電動機を誘導電動機とし、制御手段は、目標吹出し温度を設定して、室内吹出し温度検出手段の検出結果に基づいて誘導電動機をＯＮ、ＯＦＦ制御し、室外ファンを目標吹出し温度の上限値と下限値間でＯＮ、ＯＦＦの断続運転させることにより再熱除湿運転を行い、目標吹出し温度を上げたい場合には、目標吹出し温度の上限値を第１の値だけ高くし、目標吹出し温度を下げたい場合には、目標吹出し温度の下限値を第２の値だけ低くするものである。
【０００９】
また、請求項２に係わる空気調和機は、請求項１の空気調和機において、前記制御手段に代えて、目標吹出し温度を設定し、誘導電動機をＯＮ、ＯＦＦ制御して室外ファンを目標吹出し温度の上限値と下限値間でＯＮ、ＯＦＦの断続運転させることにより再熱除湿運転を行い、室外温度検出器によって検出された外気温度が所定値より高い場合には、目標吹出し温度の下限値を所定値だけ下げ、室外温度検出器によって検出された外気温度が所定値より低い場合には、目標吹出し温度の上限値を所定値だけ上げる制御手段を備えたものである。
【００１０】
また、請求項３に係わる空気調和機は、請求項１の空気調和機において、前記制御手段に代えて、目標吹出し温度を設定し、誘導電動機をＯＮ、ＯＦＦ制御して室外ファンを目標吹出し温度の上限値と下限値間でＯＮ、ＯＦＦの断続運転させることにより再熱除湿運転を行い、目標吹出し温度の上限値まで室外ファンをＯＦＦとする制御をしている場合、制御手段の電気部品が所定の温度以上に上昇したら、目標吹出し温度の上限値を所定の値だけ下げる制御手段を備えたものである。
【００１１】
請求項４に係わる空気調和機は、請求項１の空気調和機において、前記制御手段に代えて、目標吹出し温度を設定し、誘導電動機をＯＮ、ＯＦＦ制御して室外ファンを目標吹出し温度の上限値と下限値間でＯＮ、ＯＦＦの断続運転させることにより再熱除湿運転を行い、室外ファンがＯＦＦの場合に、圧縮機の周波数を所定量上げる制御手段を備えたものである。
請求項５に係わる空気調和機は、請求項１の空気調和機において、前記制御手段に代えて、目標吹出し温度を設定し、誘導電動機をＯＮ、ＯＦＦ制御して室外ファンを目標吹出し温度の上限値と下限値間でＯＮ、ＯＦＦの断続運転させることにより再熱除湿運転を行い、外気温度検出手段が検出した外気温度が所定値以上の場合、室外ファンがＯＦＦの時に、圧縮機の運転周波数を所定数下げる制御手段を備えたものである。
【００１２】
【発明の実施の形態】
実施の形態１．
図１は、実施の形態の空気調和機の構成図を示す。
図において、１は圧縮機、１８は四方切替弁、２は室外熱交換器、３は第１の冷媒減圧装置、４は第１の室内熱交換器、５は室内の絞り機構である第２の冷媒減圧装置、６は第２の室内熱交換器であり、これらを主配管により接続して、冷凍サイクルを構成する。室内熱交換器は、第２の冷媒減圧装置５を挟んで第１の室内熱交換器４と第２の室内熱交換器６の２つの熱交換器に分かれている。
【００１３】
また、７は室内送風機、８は室外送風機であり、室外送風機８の室外ファン回転の電動機には誘導電動機を使用する。１１は室内湿度センサーであり、ここでは相対湿度センサーを用いている。１２は室温センサーである室温サーミスタ、１３は第１の室内熱交換器４の管温センサーであり、凝縮器として使用する場合の凝縮温サーミスタ、１４は第２の室内熱交換器６の管温センサーであり、蒸発器として使用する場合の蒸発温サーミスタ、１７は吹出し温度センサーである吹出し温サーミスタ、１５は外気温センサーである外気温サーミスタ、１６はリモコンである。
【００１４】
ここで、室内制御部（図の室内マイコン９）は、上記湿度センサー１１、室温センサー１２、第１、第２の室内熱交換器４、６の管温センサー１３、１４、リモコン受光部、室外制御部（図の室外マイコン１０）からの情報により、第２の冷媒減圧装置５、室内送風機７を制御する。
さらに、室内制御部は室外制御部に第２の冷媒減圧装置５の開閉動作、室内送風機７のファン回転数を送信し、室外制御部は、前記情報と外気温センサー１５により、圧縮機１の周波数、さらに室外送風機８のファン回転数を制御する。
【００１５】
次に、再熱除湿運転における室温の制御について説明する。
従来は再熱除湿運転において、室温を制御する場合には、リモコン１６の設定温度と、室温センサー１２の温度差に応じて室外送風機８のファン速度を制御する。
室温センサー１２の検出温度がリモコン１６の設定よりある一定値高い場合には、直流電動機によって室外送風機８の室外ファン速度を上げて（図１０では、室外ファン速度を上げる場合を「外風量ｕｐ」、下げる場合を「外風量ｄｏｗｎ」と記載）、図１０のように室外凝縮量を増加（室外凝縮量ＡからＢ）させ、室内凝縮温度、室内蒸発温度を低下させ、吹出し温度を下げる運転を行う。
一方、室温センサー１２の検出温度がリモコン１６の設定よりある一定値低い場合には、直流電動機によって室外送風機８の室外ファン速度を下げて、図１０のように室外凝縮量を低下（室外凝縮量ＢからＡ）させ、室内凝縮温度、室内蒸発温度を上昇させ、吹出し温度を上げる運転を行う。
【００１６】
直流電動機は、冷房運転や暖房運転などで使う高速回転領域から、再熱除湿運転で使う低速回転領域まで、ファン回転数の制御範囲が広く使える。一方、誘導電動機の場合、ファン回転数の制御範囲が狭いため、冷房運転や暖房運転で使う高速回転領域にファン回転数を設定すると、再熱除湿運転でも高速回転となってしまい、室外凝縮量が増加し、室内凝縮温度、室内蒸発温度が低下するため吹出し温度が下がり、室温が低下してしまう再熱除湿運転となる。
【００１７】
従って、室外送風機８に誘導電動機を用いた再熱除湿運転の場合、誘導電動機をＯＮ、ＯＦＦ制御して、室外送風機８をＯＮ、ＯＦＦの断続運転をさせる。
室外送風機８の室外ファンがＯＦＦの場合、図２に示す（図２では、室外ファンＯＮを「外ファンＯＮ」と、室外ファンＯＦＦを「外ファンＯＦＦ」と記載）ように、室外凝縮量が室外凝縮量Ｂから室外凝縮量Ａへと低下し、室内凝縮温度、室内蒸発温度が上がるため、図３に示す（図３では、室外ファンＯＮを「外ファンＯＮ」と、室外ファンＯＦＦを「外ファンＯＦＦ」と記載）ように、吹出し温度は上昇してくる。
一方、室外ファンがＯＮの場合、図２のように室外凝縮量が室外凝縮量Ａから室外凝縮量Ｂへと増加し、室内凝縮温度、室内蒸発温度が低下するため、図３のように吹出し温度は低下してくる。
【００１８】
このように、室外送風機８のファンをＯＮの時の吹出し温度、ＯＦＦの時の吹出し温度の平均値によって室温を制御する。なお、吹出し温度は、室内蒸発温度、凝縮温度の平均値から求めてもよいし、吹出し温度センサー１７を用いてもよい。
【００１９】
具体的な室温制御である吹出し温度の制御を図４により説明する。
リモコン１６の設定温度と、室温センサー１２の温度との温度差に応じて、空気調和機の目標吹出し温度を設定し、この目標吹出し温度の上限値Ａ及び下限値Ｂを設定する。そして、室外送風機８の室外ファン（図４では外ファンと記載）をＯＦＦさせて上限値Ａになった場合に、即ち、吹出し温度センサー１７が上限値Ａを検知すると、室内制御部９を経由して、室外制御部１０が誘導電動機をＯＮとし、室外ファンをＯＮ（回転）させ、次いで、下限値Ｂになった場合に、即ち、吹出し温度センサー１７が下限値Ｂを検知すると、同様に誘導電動機をＯＦＦとし、室外ファンをＯＦＦ（回転停止）させる。このようにして室外送風機８の室外ファンのＯＮ時間及びＯＦＦ時間が設定される。
【００２０】
また、室温を上げたい場合には、即ち、目標吹出し温度を上げたい場合には、上限値ＡをＡ２と高くし、室外ファンのＯＦＦ時間を長く取って、図２のように室外凝縮量を低下させて、室内凝縮温度及び室内蒸発温度を図３のように上げ、吹出し温度を上げる。
また、室温を下げたい場合には、即ち、目標吹出し温度を下げたい場合には、下限値ＢをＢ２と低くして、室外ファンのＯＮ時間を長く取って、図２のように室外凝縮量を増加させて、室内凝縮温度、及び室内蒸発温度を下げて、図３のように吹出し温度を下げる運転を行う。
【００２１】
次に、外気温度が高い場合の制御について説明する。
外気温度が高い場合には、図１１に示すように、外気温度が低い場合よりも室外凝縮量は減少し、室内凝縮温度、室内蒸発温度は上昇するため、吹出し温度は上がる。従って、外気温度が高い場合には室外ファンのＯＮ時間を長く取るように、図５の下限値Ｂの値を低くして（図５で、「外気高の時」の点線を下限値とする）、室外凝縮量を増加させて、室内凝縮温度、及び室内蒸発温度を下げて吹出し温度を下げる運転を行う。
また、外気温度が低い場合には、室外ファンのＯＦＦ時間を長く取るように、図５の上限値Ａの値を高くして（図５で、「外気低の時」の点線を上限値とする）、室外凝縮量を低下させて、室内凝縮温度、及び室内蒸発温度を上げて吹出し温度を上げる運転を行う。
【００２２】
次いで、室外制御部１０の電気部品の温度上昇防止対策について説明する。
目標吹出し温度によって決まった上限値に対して、室外ファンＯＦＦ時に（停止時に）、電気部品への冷却風が流れなくなるため、電気部品の温度が上昇し損傷する恐れがある。従って、室外ファンを停止させる場合には電気部品の温度がある一定値以下の場合に行うこととし、電気部品の温度がある一定値以上になった場合には、図６のように室外ファンＯＦＦを解除するようにする。なお、電気部品の温度は温度センサー（図示はなし）により測定し、測定結果は室外制御部へ送付される。
即ち、図６において、上限値Ａまで室外ファンをＯＦＦとする制御をしている場合、電気部品温度が所定の値に上昇したら、上限値を上限値Ａから下の点線（図６では、上限値Ａの手前と記載）まで下げ、室外ファンをＯＮとする。即ち、上限値Ａを所定量下げる。
【００２３】
さらに、室外ファンがＯＦＦ（停止）時には、図２のように蒸発温度も高くなるため、除湿量が低下することになる。従って図７のように、圧縮機１の運転周波数を上げ（図７では「周波数ｕｐ」と記載）、蒸発量を蒸発量Ａから蒸発量Ｂに増加させて蒸発温度を低下させ、除湿能力を上げる運転を行ってもよい。
【００２４】
また、外気温度がある一定値以上の時、室外ファンのＯＦＦ（停止）時には、圧縮機１の運転周波数が高いと、運転電流が高いため室外制御部１０の電気部品の温度が上昇しやすくなる。そこで、電気部品の損傷を防止するため、前記のように上限値を所定量下げる。このため、室外ファンのＯＦＦ時間が短くなり、吹出し温度が上がりやすくなる。
従って、外気温度がある一定値以上の場合、図８のように室外ファンＯＦＦ時に（図８では、室外ファンを「外ファン」と記載）、圧縮機１の運転周波数を所定数下げることによって、運転電流を抑制し、電気部品の温度上昇を抑制し、室外送風機８のファンのＯＦＦ時間を短くしない。そこで、吹出し温度の上昇を抑制することが可能となる。
【００２５】
以上のように、室外ファンに誘導電動機を用いた再熱除湿運転において、室外送風機８のファンのＯＮ、ＯＦＦ運転によって室温を下げすぎない除湿運転を行うことができる。
前記の目標吹出し温度を変える場合、上限値を上げたり、下限値を下げたりすることを記載したが、上限値を上げる代りに下限値を上げたり、両者を上げたり、また下限値を下げる代りに上限値を下げたり、両者を下げたりしてもよい。但し、ＯＮ、ＯＦＦの間隔が短か過ぎることのないよう注意が必要である。
なお、通常の冷房運転、暖房運転は、第１の冷媒弁圧装置３を絞り、室内の絞り機構である第２の冷媒減圧装置５を全開にし、四方切替弁１８を切替えて、第１の室内熱交換器４及び第２の室内熱交換器６を、それぞれ蒸発器、凝縮器とすることにより行う。
【００２６】
【発明の効果】
本発明の請求項１に係わる空気調和機は、圧縮機、四方切替弁、室外熱交換器、第１の冷媒減圧装置、第１の室内熱交換器、第２の冷媒減圧装置、第２の室内熱交換器を冷媒配管で順次接続した冷媒回路と、室外熱交換器の室外送風機と、室内熱交換器の室内送風機と、室外温度を検出する室外温度検出器と、室内吹出し温度を検出する室内吹出し温度検出手段と、制御手段と、を備えたヒートポンプ式空気調和機であって、室外送風機の室外ファンを回転させる電動機を誘導電動機とし、制御手段は、目標吹出し温度を設定して、室内吹出し温度検出手段の検出結果に基づいて誘導電動機をＯＮ、ＯＦＦ制御し、室外ファンを目標吹出し温度の上限値と下限値間でＯＮ、ＯＦＦの断続運転させることにより再熱除湿運転を行い、目標吹出し温度を上げたい場合には、目標吹出し温度の上限値を第１の値だけ高くし、目標吹出し温度を下げたい場合には、目標吹出し温度の下限値を第２の値だけ低くするので、室外ファンの電動機を誘導電動機としコストを低減し、再熱除湿運転中に、容易に室温調節が可能となる。
【００２７】
また、請求項２に係わる空気調和機は、請求項１の空気調和機において、前記制御手段に代えて、目標吹出し温度を設定し、誘導電動機をＯＮ、ＯＦＦ制御して室外ファンを目標吹出し温度の上限値と下限値間でＯＮ、ＯＦＦの断続運転させることにより再熱除湿運転を行い、室外温度検出器によって検出された外気温度が所定値より高い場合には、目標吹出し温度の下限値を所定値だけ下げ、室外温度検出器によって検出された外気温度が所定値より低い場合には、目標吹出し温度の上限値を所定値だけ上げる制御手段を備えたので、室外ファンの電動機を誘導電動機としてコストを低減し、再熱除湿運転中に、容易に室温調節が可能となる。
【００２８】
また、請求項３に係わる空気調和機は、請求項１の空気調和機において、前記制御手段に代えて、目標吹出し温度を設定し、誘導電動機をＯＮ、ＯＦＦ制御して室外ファンを目標吹出し温度の上限値と下限値間でＯＮ、ＯＦＦの断続運転させることにより再熱除湿運転を行い、目標吹出し温度の上限値まで室外ファンをＯＦＦとする制御をしている場合、制御手段の電気部品が所定の温度以上に上昇したら、目標吹出し温度の上限値を所定の値だけ下げる制御手段を備えたので、室外ファンのＯＦＦによる冷却風停止を中断し、電気部品の温度上昇による損傷を防止できる。
【００２９】
請求項４に係わる空気調和機は、請求項１の空気調和機において、前記制御手段に代えて、目標吹出し温度を設定し、誘導電動機をＯＮ、ＯＦＦ制御して室外ファンを目標吹出し温度の上限値と下限値間でＯＮ、ＯＦＦの断続運転させることにより再熱除湿運転を行い、室外ファンがＯＦＦの場合に、圧縮機の周波数を所定量上げる制御手段を備えたので、室外ファンがＯＦＦ時の除湿能力不足を防止したり、また、外気温度が高くかつ圧縮機の周波数が高い場合の電気部品の温度上昇を防止できる。
請求項５に係わる空気調和機は、請求項１の空気調和機において、前記制御手段に代えて、目標吹出し温度を設定し、誘導電動機をＯＮ、ＯＦＦ制御して室外ファンを目標吹出し温度の上限値と下限値間でＯＮ、ＯＦＦの断続運転させることにより再熱除湿運転を行い、外気温度検出手段が検出した外気温度が所定値以上の場合、室外ファンがＯＦＦの時に、圧縮機の運転周波数を所定数下げる制御手段を備えたので、吹出し温度の上昇を抑制することが可能となる。
【図面の簡単な説明】
【図１】  本発明の実施の形態の空気調和機の構成図である。
【図２】  本発明の実施の形態の空気調和機の室外送風機のＯＮ、ＯＦＦ時のモリエル線図である。
【図３】  本発明の実施の形態の空気調和機の室外送風機のＯＮ、ＯＦＦ時の室内凝縮温度、室内蒸発温度、吹出し温度を示す空気線図である。
【図４】  本発明の実施の形態の空気調和機の室外送風機のＯＮ、ＯＦＦによる吹出し温度の制御を示す図である。
【図５】  本発明の実施の形態の空気調和機の外気温度と室外送風機のＯＮ、ＯＦＦによる吹出し温度の制御を示す図である。
【図６】  本発明の実施の形態の空気調和機の電気部品保護と室外送風機のＯＮ、ＯＦＦによる吹出し温度の制御を示す図である。
【図７】  空気調和機の圧縮機の運転周波数の違いによるモリエル線図である。
【図８】  本発明の実施の形態の空気調和機の室外送風機のＯＦＦ中の圧縮機の周波数制御を示す図である。
【図９】  従来の空気調和機の構成図である。
【図１０】  空気調和機の室外送風機のファン速度の違いによるモリエル線図である。
【図１１】  空気調和機の外気温度の違いによるモリエル線図である。
【図１２】  空気調和機の室外送風機のファン速度の変化による室内凝縮温度、室内蒸発温度、吹出し温度を示す空気線図である。
【符号の説明】
１  圧縮機、２  室外熱交換器、３  第１の冷媒減圧装置、４  第１の室内熱交換器、５  第２の冷媒減圧装置、６  第２の室内熱交換器、７室内送風機、８  室外送風機、１８  四方切替弁。
【図１】
0003991202.tif 000002
【図２】
0003991202.tif 000003
【図３】
0003991202.tif 000004
【図４】
0003991202.tif 000005
【図５】
0003991202.tif 000006
【図６】
0003991202.tif 000007
【図７】
0003991202.tif 000008
【図８】
0003991202.tif 000009
【図９】
0003991202.tif 000010
【図１０】
0003991202.tif 000011
【図１１】
0003991202.tif 000012
【図１２】
0003991202.tif 000013